(57)【特許請求の範囲】
【請求項１】
足場板の桁側端部に載置される水平板部とこれの外側端から立ち上がる垂直板部とで断面略Ｌ字状に形成すると共に、垂直板部の長さは、その両端部が水平板部の両端部から夫々所要長さ突出している分だけ水平板部よりも長く一体形成され、その垂直板部から一体突出した長手方向両端突出板部に夫々係止ピン引掛け孔を設けてなる幅木本体を、建枠の縦材の下端部側に突設された交差筋違い取付用ロックピンに嵌挿可能なロックピン嵌挿孔を上部側に有し且つ下端部前面に幅木取付用係止ピンを突設した取付基板と、建枠の縦材に嵌合して幅木本体の長手方向及び幅方向のズレを防止するように取付基板の下端部背面側に設けられたズレ止め部材と、からなる幅木取付金具を用いて、建枠の縦材を挟んで両側に対向する両足場板の上に夫々隣合って載置された両幅木本体の一方の幅木本体の垂直板部の突出板部の係止ピン引掛け孔を取付基板の係止ピンに挿通させると共に、他方の幅木本体の垂直板部の突出板部の係止ピン引掛け孔を同じ係止ピンに挿通させ、隣り合う両幅木本体の両突出板部を互いに重ね合わせて前記係止ピンに係止するようにして、両幅木本体を枠組足場の足場板の桁側端部に沿って取り付けるようにした足場板用幅木。
【請求項２】
前記取付基板の幅木取付用係止ピンは、軸部とこれの先端部の径大頭部とからなり、前記幅木本体の係止ピン引掛け孔は、係止ピンの軸部より径大で頭部よりも径小の係止用孔部と、この孔部の下側に連通して設けられ、係止ピンの頭部よりも径大の抜取り用孔部とからなる請求項１に記載の足場板用幅木の取付装置。
【請求項３】
前記ズレ止め部材は、板バネ材によって平面視略コ字状に形成されると共にその開口部が建枠の縦材の直径より狭くなるように形成されて、その縦材を抱持するようになっている請求項１又は２に記載の足場板用幅木の取付装置。
【請求項４】
前記取付基板のロックピン嵌挿孔は、取付基板の上部側に上下複数設けてなる請求項１〜３の何れかに記載の足場板用幅木の取付装置。
【請求項５】
前記幅木本体の水平板部と垂直板部との成す角度は９０°より僅かに大きい請求項１〜４の何れかに記載の足場板用幅木の取付装置。
【発明の詳細な説明】
【技術分野】
【０００１】
本発明は、建築現場等に仮設される枠組足場の足場板の桁側端部に沿って取り付けられる足場板用幅木に関するものである。
【背景技術】
【０００２】
従来におけるこの種の足場板用幅木として、例えば下記特許文献１に記載されたものがある。この足場板用幅木は、足場板の側縁部上に起立姿勢に載置される幅木本体を有し、この幅木本体の前後各端部に、端部キャップと、足場板の外側端面に支持されるアウトガイドと、足場用建枠の横架材に掛合されるキャッチガイドと、このキャッチガイドを前記横架材に掛合させてロックするロック部片とを設けてなるもので、足場板への取り付けるにあたって、幅木本体を足場板の側縁部上に載せて、アウトガイドを足場板の外側端面に当接支持させると共に、キャッチガイドの下端掛合部を足場板の前後端面と足場用建枠の横架材との間に突入させることにより、アウトガイドとキャッチガイドの下端掛合部により足場板の係止用フックを挟む状態で、幅木本体の左右方向の移動及び倒れを阻止でき、キャッチガイドの下端掛合部を足場用建枠の横架材に掛合させることにより、幅木本体の前後方向の移動を阻止して、幅木本体を足場板の側縁部上で起立姿勢に保持固定するようになっている。
【特許文献１】特開２００４−３６０２６８号公報
【発明の開示】
【発明が解決しようとする課題】
【０００３】
上記のような従来の足場板用幅木は、取付部分の構造が複雑で、部品点数も多く、製造コストが高くつく上に、取付けに手間がかかるという問題があった。そこで、本発明は、構造が簡単で、部品点数が少なく、取付けが簡単容易に行なえる足場板用幅木を提供することを目的とする。
【課題を解決するための手段】
【０００４】
上記課題を解決するための手段を、後述する実施形態の参照符号を付して説明すると、請求項１に係る発明の足場板用幅木は、足場板８の桁側端部に載置される水平板部９とこれの外側端から立ち上がる垂直板部１０とで断面略Ｌ字状に形成すると共に、垂直板部１０の長さは、その両端部が水平板部９の両端部から夫々所要長さ突出している分だけ水平板部９よりも長く一体形成され、その垂直板部１０から一体突出した長手方向両端突出板部１０ａ，１０ａに夫々係止ピン引掛け孔１１を設けてなる幅木本体１を、建枠５の縦材６の下端部側に突設された交差筋違い取付用ロックピン１２に嵌挿可能なロックピン嵌挿孔１３を上部側に有し且つ下端部前面に幅木取付用係止ピン１４を突設した取付基板２と、建枠５の縦材６に嵌合して幅木本体１の長手方向及び幅方向のズレを防止するように取付基板２の下端部背面側に設けられたズレ止め部材３と、からなる幅木取付金具４を用いて、建枠５の縦材６を挟んで両側に対向する両足場板８，８の上に夫々隣合って載置された両幅木本体１，１の一方の幅木本体１の垂直板部１０の突出板部１０ａの係止ピン引掛け孔１１を取付基板２の前記係止ピン１４に挿通させると共に、他方の幅木本体１の垂直板部１０の突出板部１０ａの係止ピン引掛け孔１１を同じ前記係止ピン１４に挿通させ、隣り合う両幅木本体１，１の両突出板部１０ａ，１０ａを互いに重ね合わせて前記係止ピン１４に係止するようにして、両幅木本体１，１を枠組足場の足場板８の桁側端部に沿って取り付けてなることを特徴とする。
【０００５】
請求項２は、請求項１に記載の足場板用幅木の取付装置において、前記取付基板２の幅木取付用係止ピン１４は、軸部１４ａとこれの先端部の径大頭部１４ｂとからなり、前記幅木本体１の係止ピン引掛け孔１１は、係止ピン１４の軸部１４ａより径大で頭部１４ｂよりも径小の係止用孔部１１ａと、この孔部１１ａの下側に連通して設けられ、係止ピン１４の頭部１４ｂよりも径大の抜取り用孔部１１ｂとからなることを特徴とする。
【０００６】
請求項３は、請求項１又は２に記載の足場板用幅木の取付装置において、前記ズレ止め部材３は、板バネ材によって平面視略コ字状に形成されると共にその開口部３ｏが建枠５の縦材６の直径より狭くなるように形成されて、その縦材６を抱持するようになっていることを特徴とする。
【０００７】
請求項４は、請求項１〜３の何れかに記載の足場板用幅木の取付装置において、前記取付基板２のロックピン嵌挿孔１３は、取付基板２の上部側に上下複数設けてなることを特徴とする。
【０００８】
請求項５は、請求項１〜４の何れかに記載の足場板用幅木の取付装置において、前記幅木本体１の水平板部９と垂直板部１０との成す角度は９０°より僅かに大きいことを特徴とする。
【発明の効果】
【０００９】
上記解決手段による発明の効果を、後述する実施形態の参照符号を付して説明すると、請求項１に係る発明の足場板用幅木は、水平板部９と垂直板部１０とで断面略Ｌ字状に形成すると共に垂直板部１０の長手方向両端板部に係止ピン引掛け孔１１を設けてなる幅木本体１からなるもので、この幅木本体１を、建枠５の縦材６の下端部側に突設された交差筋違い取付用ロックピン１２に嵌挿可能なロックピン嵌挿孔１３を上部側に有し且つ下端部前面に幅木取付用係止ピン１４を突設した取付基板２と、建枠５の縦材６に嵌合して幅木本体１の長手方向及び幅方向のズレを防止するように取付基板２の下端部背面側に設けられたズレ止め部材３とからなる幅木取付金具４を用いて、枠組足場の足場板８の桁側端部に沿うように取り付けるようにしたから、取付けにあたっては、幅木取付金具４の取付基板２を、ロックピン嵌挿孔１３を介して建枠５の縦材６の交差筋違い取付用ロックピン１２に嵌挿することにより縦材６に取り付け且つズレ止め部材３を縦材６に嵌合した後、幅木本体１側の係止ピン引掛け孔１１を取付基板２の幅木取付用係止ピン１４に引っ掛けるだけでよく、従って取付作業を簡単容易に行なうことができる。また部材点数も少なく、構造が簡単であるから、製作が容易で、コストの低廉化を図ることができる。また、幅木取付金具４のズレ止め部材３によって、幅木本体１の長手方向及び幅方向のズレを防止することができる。
特に、幅木本体１の垂直板部１０の長さは、その両端部が水平板部９の両端部から夫々所要長さ突出している分だけ水平板部９よりも長く一体形成され、その垂直板部１０から一体突出した長手方向両端突出板部１０ａ，１０ａに夫々係止ピン引掛け孔１１を設けてなり、建枠５の縦材６を挟んで両側に対向する両足場板８，８の上に夫々隣合って載置された両幅木本体１，１の一方の幅木本体１の垂直板部１０の突出板部１０ａの係止ピン引掛け孔１１を取付基板２の前記係止ピン１４に挿通させると共に、他方の幅木本体１の垂直板部１０の突出板部１０ａの係止ピン引掛け孔１１を同じ前記係止ピン１４に挿通させ、隣り合う両幅木本体１，１の両突出板部１０ａ，１０ａを互いに重ね合わせて前記係止ピン１４に係止するようにし、幅木本体１の垂直板部１０の長さを、その両端部が水平板部９の両端部から夫々所要長さ突出している分だけ水平板部９よりも長く一体形成し、これに係止ピン引掛け孔１１を設け、両係止ピン引掛け孔１１を取付基板２の幅木取付用係止ピン１４に重ね合わせるように係止するだけでよいから、両幅木本体１の取付構造が極めて簡単で嵩張ることもなく、安価に製作することができ、且つ取付作業も簡単容易である。
【００１０】
請求項２に係る発明によれば、取付基板２の幅木取付用係止ピン１４は、軸部１４ａと径大頭部１４ｂとからなり、幅木本体１の係止ピン引掛け孔１１は、係止ピン１４の軸部１４ａより径大で頭部１４ｂよりも径小の係止用孔部１１ａと、これの下側に連通連設されていて、係止ピン１４の頭部１４ｂよりも径大の抜取り用孔部１１ｂとからなるため、幅木本体１の垂直板部１０側を適宜持ち上げた状態で下側の抜取り用孔部１１ｂを係止ピン１４の頭部１４ｂに嵌挿させた後、垂直板部１０側の持ち上げを解放することにより、径の小さい上側係止用孔部１１ａが係止ピン１４の軸本体１４ｂに係止してロックされるから、幅木本体１に作用する振動や風圧等で幅木本体１側の係止ピン引掛け孔１１が係止ピン１４から脱離するおそれがない。
【００１１】
請求項３に係る発明によれば、ズレ止め部材３は、板バネ材によって平面視略コ字状に形成されると共にその開口部３ｏが建枠５の縦材６の直径より狭くなるように形成されて、その縦材６を抱持するようにしたもので、構造が簡単で、製作が容易となる。
【００１２】
請求項４に係る発明によれば、取付基板２のロックピン嵌挿孔１３は、取付基板２の上部側に上下複数設けてあるから、交差筋違い取付用ロックピン１２の突設位置の異なる複数種類の建枠５に対応することができる。
【００１３】
請求項５に係る発明のように、幅木本体１の水平板部９と垂直板部１０との成す角度を９０°より僅かに大きく、例えば９５°にすることにより、垂直板部１０を、水平に配置される足場板８に対し垂直板部１０が垂直に位置するように取り付けたとき、水平板部９が足場板８の上面に対し傾斜した状態となって、水平板部９の先端部９ｏが確実に足場板８の上面に当接して、この足場板８上面との間に隙間を生じることがない。
【発明を実施するための最良の形態】
【００１４】
以下に本発明の好適な実施形態について図面を参照しながら説明すると、図１は足場板用幅木の取付開始状態の斜視図、図２は同足場板用幅木の取付けを終えた状態の斜視図、図３の(a) は幅木本体の正面図、(b) は平面図、(c) は端面図であり、図４の(a) は取付基板の正面図、(b) は平面図、(c) は側面図である。本発明に係る足場板用幅木は、鋼板製の幅木本体１を、取付基板２とズレ止め部材３とからなる幅木取付金具４によって、枠組足場の建枠５の縦材６に取り付けるようにしてなるものである。
【００１５】
尚、建枠５は、図１及び図２にその一部を示しているが、左右一対の縦材６，６と両縦材６，６をつなぐ横材７とからなるもので、この建枠５を一定間隔おきに対向配置して、対向する両建枠５，５の対向する両縦材６，６間に交差筋違い１６，１６を掛張し、両横材７，７間に足場板８を架け渡しながら、建枠５を上方に継ぎ足して、順次多段状に枠組足場を組み立ててゆくようになっている。
【００１６】
幅木本体１は、図１〜図３から分かるように、足場板８の桁側端部に載置される水平板部９と、この水平板部９の外側端から立ち上がる垂直板部１０とによって断面略Ｌ字状に形成され、水平板部９は、足場板８の幅の約１／３程度の幅と、足場板８の長さと略同じ長さとを有し、垂直板部１０の幅は水平板部９の幅よりも狭く、その長さは両端部が水平板部９の両端から夫々所要長さ突出している分だけ水平板部９よりも長く形成され、その両端突出部１０ａ，１０ａには夫々係止ピン引掛け孔１１が設けられている。また、水平板部９の前端縁部及び垂直板部１０の上端縁部は夫々裏側へ折り返して折り返し縁部９ｏ，１０ｏを形成している。
【００１７】
取付基板２は、図４の(a) 〜(c) に示すように、厚手の鉄板によって縦長矩形状に形成されたもので、上部側には、建枠５の縦材６の下端部側に突設された交差筋違い取付用ロックピン１２に嵌挿可能なロックピン嵌挿孔１３が上下２箇所に設けられ、また下端部前面には幅木取付用係止ピン１４が突設されている。この幅木取付用係止ピン１４は、軸部１４ａと、これの先端部に形成された径大頭部１４ｂとからなる。ロックピン嵌挿孔１３を上下２箇所に設けたのは、建枠５の縦材６に突設されている交差筋違い取付用ロックピン１２の位置が、通常は建枠５のタイプにより高い位置と低い位置との２種類があって、その２種類に対応できるようにするためである。この実施形態では、交差筋違い取付用ロックピン１２が低い位置に設けてあるタイプの建枠５を示す。尚、ロックピン１２が高い位置に設けられた状態を図５の(c) に仮想線で示す。
【００１８】
ズレ止め部材３は、建枠５の縦材６に嵌合して幅木本体１の長手方向及び幅方向のズレを防止するように取付基板２の下端部背面側にビス１５によって取り付けられたもので、図４の(a) 〜(c) に示すように、板バネ材により平面視略々コ字状に形成されると共に、その開口部３ｏが建枠５の縦材６の直径よりも狭くなるように両端部３ａ，３ａが絞られて、建枠５の縦材６を抱持するようになっている。
【００１９】
また、幅木本体１の垂直板部１０の両端突出部１０ａ，１０ａに夫々設けられた係止ピン引掛け孔１１は、図３の(a) に示すように、幅木取付用係止ピン１４の軸部１４ａより径大で頭部１４ｂよりも径小の係止用孔部１１ａと、この孔部１１ａの下側に連通して設けられていて、係止ピン１４の頭部１４ｂよりも径大の抜取り用孔部１１ｂとから構成される。
【００２０】
また、図３の(a) から分かるように、幅木本体１の水平板部９と垂直板部１０との成す角度αは９０°より僅かに大きく、例えば９５°に形成されている。これは、垂直板部１０を、水平に配置される足場板８に対し垂直板部１０が垂直に位置するように取り付けた時、水平板部９が図３の(c) に示すように足場板８の上面に対し傾斜した状態となって、この水平板部９の先端部９ｏのみがこの足場板８上面に接地するようにするためである。こうすることにより、水平板部９の先端部９ｏが確実に足場板８の上面に当接して、水平板部９の先端部９ｏと足場板８の上面との間に隙間を生じることがない。
【００２１】
また、幅木本体１を形成する水平板部９の前端縁部及び垂直板部１０の上端縁部は夫々裏側へ折り返して折り返し縁部９ｏ，１０ｏを形成している。このように水平板部９の前端縁部９ｏ及び垂直板部１０の上端縁部１０ｏが夫々折り返し縁部９ｏ，１０ｏを形成することにより、これらの折り返し縁部９ｏ，１０ｏが夫々補強リブとなって、水平板部９及び垂直板部１０の剛性を増大することができる。
【００２２】
建枠５の縦材６に突設された交差筋違い取付用ロックピン１２は、図１に概略示すように、縦材６に固着突設されるピン本体１２ａと、このピン本体１２ａにバネ（図示せず）を介して内装されていて、ピン本体１２ａの一側面から常時突出する略三角形状のストッパー片１２ｂとからなる周知構造のもので、このロックピン１２のピン本体１２ａには、図１、図２及び図４に示すように、双方の交差筋違い１６，１６の端部１６ａ，１６ａがピン孔を介して挿通されて重ね合わさった状態に取り付けられてロックされ、しかしてこの重ね合わさった交差筋違い１６，１６の端部に更に重ねて取付基板２がロックピン嵌挿孔１３介して挿通されるようになっている。
【００２３】
上記のように構成される足場板用幅木を枠組足場の足場板８に取り付けるには、先ず、図１に示すように、幅木取付金具４を建枠５の縦材６に取り付ける。即ち、この幅木取付金具４を構成する取付基板２の、例えば下段側ロックピン嵌挿孔１３を、建枠５の縦材６に突設されている交差筋違い取付用ロックピン１２に挿通してロックすると共に、板バネ材からなるズレ止め部材３を建枠５の縦材６に嵌合すればよい。図１はこの状態を示す。この時、縦材６の交差筋違い取付用ロックピン１２には、図１の実線図示及び図４の仮想線図示のように双方の交差筋違い１６，１６の端部１６ａ，１６ａが重ね合わさった状態に取り付けられている。
【００２４】
こうして建枠５の縦材６に幅木取付金具４を取り付けたならば、一つの建枠５の縦材６を挟んで両側に対向する足場板８，８の上に夫々幅木本体１を持ち来し、一方の幅木本体１の水平板部９を一方の足場板８の桁側端部沿って載置すると共に、垂直板部１０の突出端部１０ａの係止ピン引掛け孔１１を取付基板２の係止ピン１４に挿通させた後、他方の幅木本体１の水平板部９を一方の足場板８の桁側端部沿って載置し、その垂直板部１０の突出端部１０ａの係止ピン引掛け孔１１を同じ係止ピン１４に挿通させて、図２に示すように状態とすることにより、幅木本体１を足場板８の桁側端部沿って取り付けることができる。
【００２５】
幅木本体１側の係止ピン引掛け孔１１を取付基板２側の係止ピン１４に挿通させる際には、幅木本体１の垂直板部１０側を適宜持ち上げた状態で径の大きい下側の抜取り用孔部１１ｂを係止ピン１４の頭部１４ｂに嵌挿させた後、垂直板部１０側の持ち上げ状態を解放することにより、径の小さい上側の係止用孔部１１ａが係止ピン１４の軸本体１４ｂに係止してロックされるようになっているから、幅木本体１に作用する振動や風圧等で幅木本体１側の係止ピン引掛け孔１１が係止ピン１４から脱離するおそれがない。
【００２６】
図５の(a) は一つの幅木本体１を、上述のようにして幅木取付金具４により足場板８の桁側端部に沿うように取り付けた状態を示す正面図であり、(b) はその平面図、(c) は端面図である。
【００２７】
以上説明したように、この発明に係る足場板用幅木は、足場板８の桁側端部に載置される水平板部９とこれの外側端から立ち上がる垂直板部１０とで断面略Ｌ字状に形成すると共に垂直板部１０の長手方向両端部に係止ピン引掛け孔１１を設けてなる幅木本体１を、建枠５の縦材６の下端部側に突設された交差筋違い取付用ロックピン１２に嵌挿可能なロックピン嵌挿孔１３を上部側に有し且つ下端部前面に幅木取付用係止ピン１４を突設した取付基板２と、建枠５の縦材６に嵌合して幅木本体１の長手方向及び幅方向のズレを防止するように取付基板２の下端部背面側に設けられたズレ止め部材３とからなる幅木取付金具４により、枠組足場の足場板８の桁側端部に沿うように取り付けるようにしたもので、幅木取付金具４の取付基板２を、ロックピン嵌挿孔１３を介して建枠５の縦材６の交差筋違い取付用ロックピン１２に嵌挿することにより縦材６に取り付け且つズレ止め部材３を縦材６に嵌合した後、幅木本体１側の係止ピン引掛け孔１１を取付基板２の幅木取付用係止ピン１４に引っ掛けるだけでよいから、取付け作業を簡単容易に行なうことができる。また、この足場板用幅木は、部材点数も少なく、構造が簡単であるから、製作が容易で、コストの低廉化を図ることができる。
【図面の簡単な説明】
【００２８】
【図１】足場板用幅木の取付開始状態の斜視図である。
【図２】同足場板用幅木の取付けを終えた状態の斜視図である。
【図３】(a) は幅木本体の正面図、(b) は平面図、(c) は端面図である。
【図４】(a) は取付基板の正面図、(b) は平面図、(c) は側面図である。
【図５】(a) は幅木本体を幅木取付金具により足場板の桁側端部に沿うように取り付けた状態の正面図、(b) はその平面図、(c) は端面図である。
【符号の説明】
【００２９】
１            幅木本体
２            取付基板
３            ズレ止め部材
４            幅木取付金具
５            枠組足場の建枠
６            縦材
８            足場板
９            水平板部
１０          垂直板部
１１          係止ピン引掛け孔
１２          交差筋違い取付用ロックピン
１３          ロックピン嵌挿孔
１４          幅木取付用係止ピン
【図１】
0004567623.tif 000002
【図２】
0004567623.tif 000003
【図３】
0004567623.tif 000004
【図４】
0004567623.tif 000005
【図５】
0004567623.tif 000006